(57)【要約】【課題】  衛生的で、処理作業が容易で、さらに、室内犬や猫が、真っ暗闇の中でも正確な場所に排泄することのできる糞尿処理具を提供する。【解決手段】  液体吸収シート３の下面に防水シート４をラミネートしたシート本体２を所定形状に形成し、前記シート本体２が合致する窪みＨを有する受具５の外から目視可能な部位に、蓄光物質Ｍを配置し、前記シート本体２上面の中央を糞尿排泄箇所２ａとする。液体吸収シート３は吸水性に富むので、室内犬や猫の尿の全てを吸収することができ、衛生的である。また、便を処理する場合は、液体吸収シート３のみではなく、防水シート４を含んだシート本体２の全体でくるむので衛生的である。【選択図】      図１
2007037405.tif 000002
【特許請求の範囲】
【請求項１】
液体吸収シート（３）の下面に防水シート（４）をラミネートしたシート本体（２）を所定形状に形成し、前記シート本体が合致する窪み（Ｈ）を有する受具（５）の外から目視可能な部位に、蓄光物質（Ｍ）を配置し、前記シート本体上面の中央を糞尿排泄箇所（２ａ）としてなる犬猫ペットの糞尿処理具。
【請求項２】
液体吸収シート（３）の下面に防水シート（４）をラミネートしたシート本体（２）を所定形状に形成し、前記シート本体が合致する窪み（Ｈ）を有する透明または半透明の受具（５）の所定の側端部に沿って横孔（５ｂ）を形成し、前記横孔に、蓄光物質（Ｍ）含む棒状の蓄光棒（６）を抜き差し自在に挿入し、前記シート本体上面の中央を糞尿排泄箇所（２ａ）としてなる犬猫ペットの糞尿処理具。
【請求項３】
液体吸収シート（３）の下面に防水シート（４）をラミネートしたシート本体（２）を所定形状に形成し、前記シート本体が合致する窪み（Ｈ）を有する枠付受具（５ｚ）の周囲枠（５ａ）上面に蓄光物質（Ｍ）を配置し、前記シート本体上面の中央を糞尿排泄箇所（２ａ）としてなる犬猫ペットの糞尿処理具。
【請求項４】
液体吸収シート（３）の下面に防水シート（４）をラミネートしたシート本体（２）を所定形状に形成し、前記シート本体が合致する窪み（Ｈ）を有する枠付受具（５ｚ）の周囲枠（５ａ）上面に、蓄光物質（Ｍ）を貼付けまたは吹付け塗装により断続的または連続的に配置し、前記シート本体（２）上面の中央を糞尿排泄箇所（２ａ）としてなる犬猫ペットの糞尿処理具。
【請求項５】
液体吸収シート（３）の下面に防水シート（４）をラミネートしたシート本体（２）を所定形状に形成し、前記シート本体が合致する窪み（Ｈ）を有する枠付受具（５ｚ）の周囲枠（５ａ）上面の少なくとも四隅に、蓄光物質（Ｍ）を固着または脱着可能に配置し、前記シート本体上面の中央を糞尿排泄箇所（２ａ）としてなる犬猫ペットの糞尿処理具。
【請求項６】
液体吸収シート（３）の下面に防水シート（４）をラミネートしたシート本体（２）を所定形状に形成し、前記シート本体が合致する窪み（Ｈ）を有する無蓋箱状の受具本体（７ａ）の上端に、外方に張り出す鍔状で、かつ蓄光物質（Ｍ）を含有するフランジ枠体（７ｂ）を嵌合固定し、前記シート本体（２）上面の中央を糞尿排泄箇所（２ａ）としてなる犬猫ペットの糞尿処理具。
【請求項７】
シート本体（２）を平面多角形状に設定してなる請求項１乃至６のいずれかに記載の犬猫ペットの糞尿処理具。
【発明の詳細な説明】
【技術分野】
【０００１】
本発明は、主として、室内に設置して、ペットである室内犬や猫の糞尿を衛生的かつ容易に処理するための処理具に関するものである。
【背景技術】
【０００２】
マルチーズやプードルなどの主として室内で飼育される各種の室内犬や猫は、一般に、夜、室内で運動し、早朝に排泄する。また、その量は、例えば小型犬や猫の場合は、少量である。また、室内犬などは、子犬のときに躾をすることによって、同一場所で排泄をするようになる。
【０００３】
こうしたことから、通常、室内犬や猫の排泄場所を、所定の床上に防水シートを敷き、その上に新聞紙を置いて設けている場合が多い。この上に排泄された尿は、新聞紙で吸収させ、便は、当該新聞紙でくるんで捨てて処理している。
【発明の開示】
【発明が解決しようとする課題】
【０００４】
しかし、こうした従来の方法では、新聞紙が尿を完全に吸収することができないので不衛生である。また、便を処理する場合、新聞紙を防水シートから離し、当該新聞紙のみで糞尿をくるむので衛生的ではない。さらに、その際、新聞紙を防水シートから離す作業を必要とするので、その処理作業が面倒である。また、夜中などにおいて、排泄場所が真っ暗闇の場合は、室内犬が誤って新聞紙の周囲に糞尿をする場合もある。
【０００５】
本発明はこうした問題に鑑み創案されたもので、衛生的で、処理作業が容易で、さらに、室内犬や猫が、真っ暗闇の中でも正確な場所に排泄することのできる糞尿処理具を提供することを課題とする。
【課題を解決するための手段】
【０００６】
図１乃至図１８を参照して説明する。請求項１に記載の犬猫ペットの糞尿処理具１は、液体吸収シート３の下面に防水シート４をラミネートしたシート本体２を所定形状に形成し、前記シート本体２が合致する窪みＨを有する受具５’の外から目視可能な部位に、蓄光物質Ｍを配置し、前記シート本体２上面の中央を糞尿排泄箇所２ａとしてなるものである。
【０００７】
なお、蓄光物質Ｍとは、明るいとき吸収した光を、暗くなると発光する物質を言い、原料は鉱石で、製品状態では液状、粉状あるいは粒状を成す。
【０００８】
請求項２に記載の犬猫ペットの糞尿処理具１は、液体吸収シート３の下面に防水シート４をラミネートしたシート本体２を所定形状に形成し、前記シート本体２が合致する窪みＨを有する透明または半透明の受具５の所定の側端部に沿って横孔５ｂを形成し、前記横孔５ｂに、蓄光物質Ｍを含む棒状の蓄光棒６を抜き差し自在に挿入し、前記シート本体上面の中央を糞尿排泄箇所２ａとしてなるものである。
【０００９】
ここで「所定の側端部」とは、受具５の平面形状によって決定されることを意味し、例えば、受具５が平面四角形状であれば、その四方側端部、三方側端部、二方側端部あるいは一方側端部を言う。
【００１０】
請求項３に記載の犬猫ペットの糞尿処理具１は、液体吸収シート３の下面に防水シート４をラミネートしたシート本体２を所定形状に形成し、前記シート本体２が合致する窪みＨを有する枠付受具５ｚの周囲枠５ａ上面に蓄光物質Ｍを配置し、前記シート本体２上面の中央を糞尿排泄箇所２ａとしてなるものである。
【００１１】
請求項４に記載の犬猫ペットの糞尿処理具１は、液体吸収シート３の下面に防水シート４をラミネートしたシート本体２を所定形状に形成し、前記シート本体２が合致する窪みＨを有する枠付受具５ｚの周囲枠５ａ上面に、蓄光物質Ｍを、貼付けまたは吹付け塗装により断続的または連続的に配置し、前記シート本体２上面の中央を糞尿排泄箇所２ａとしてなるものである。
【００１２】
請求項５に記載の犬猫ペットの糞尿処理具１は、液体吸収シート３の下面に防水シート４をラミネートしたシート本体２を所定形状に形成し、前記シート本体２が合致する窪みＨを有する枠付受具５ｚの周囲枠５ａ上面の少なくとも四隅に、蓄光物質Ｍを固着または脱着可能に配置し、前記シート本体２上面の中央を糞尿排泄箇所２ａとしてなるものである。
【００１３】
請求項６に記載の犬猫ペットの糞尿処理具１は、液体吸収シート３の下面に防水シート４をラミネートしたシート本体２を所定形状に形成し、前記シート本体２が合致する窪みＨを有する無蓋箱状の受具本体７ａの上端に、外方に張り出す鍔状で、かつ蓄光物質Ｍを含有するフランジ枠体７ｂを嵌合固定し、前記シート本体２上面の中央を糞尿排泄箇所２ａとしてなるものである。
【００１４】
請求項７に記載の犬猫ペットの糞尿処理具１は、請求項１乃至４のいずれかに記載の発明において、シート本体２を平面多角形状に設定してなるものである。
【発明の効果】
【００１５】
請求項１乃至３の発明の犬猫ペットの糞尿処理具１は、衛生的で、処理作業が容易で、さらに、室内犬や猫が真っ暗闇の中でも糞尿排泄箇所２ａに正確に排泄することができる。
【００１６】
すなわち、液体吸収シート３は新聞紙と異なり吸水性に富むので、室内犬や猫の尿の全てを吸収することができ、衛生的である。また、便を処理する場合は、液体吸収シート３のみではなく、防水シート４を含んだシート本体２の全体でくるむので衛生的である。また、その際、液体吸収シート３を防水シート４から分離する作業を必要としないので処理作業が容易である。
【００１７】
さらに、請求項１では、シート本体２が合致する窪みＨを有する受具５の外から目視可能な部位に、蓄光物質Ｍを配置し、また、請求項２では、透明または半透明の受具５の側端部に沿って形成した横孔５ｂに、蓄光棒６を抜き差し自在に挿入し、さらに、請求項３では、シート本体２が合致する窪みＨを有する枠付受具５ｚの周囲枠５ａの上面に蓄光物質Ｍを配置しているので、当該蓄光物質Ｍが発光し、室内犬や猫が真っ暗闇の中でも糞尿排泄箇所２ａを容易に視認することができる。従って、糞尿排泄箇所２ａに正確に排泄することができる。
【００１８】
また、シート本体２を、枠付受具５ｚの窪みＨに合致させるので、液体吸収シート３に吸収された糞尿は、防水シート４のみでなく、この枠付受具５ｚの底壁によっても漏出が阻止される。従って、糞尿が床などに付着してしまうことがない。
【００１９】
なお、請求項２の糞尿処理具１は、蓄光棒６を、受具５の横孔５ｂに挿入しているので、いわゆる埋設した状態となる。従って、犬や猫がこの蓄光棒６をかじることがなく、衛生上および安全上の問題が発生しない。また、この蓄光棒６は抜き差し自在に挿入するので、例えば、平面四角形状の受具５の四方側端部に横孔５ｂを形成した場合は、ペットの習性や必要に応じて、その全て、あるいは適宜数の横孔５ｂに蓄光棒６を挿入することができる。従って、必要以上の蓄光棒６を使用する必要がなく、経済的で便利である。また、受具５を透明または半透明としているので、蓄光棒６が発する光は、外から容易に目視される。
【００２０】
請求項４の室内犬・猫の糞尿処理具１は、請求項１乃至３の発明と同様に、衛生的で、処理作業が容易である。また、枠付受具５ｚの周囲枠５ａの上面に、蓄光物質Ｍを貼付けまたは吹付け塗装によって断続的または連続的に配置しているので、この蓄光物質Ｍの発光によって、犬や猫は真っ暗闇の中でも糞尿排泄箇所２ａに正確に排泄することができる。
【００２１】
請求項５の犬猫ペットの糞尿処理具１は、請求項１乃至４の発明と同様に、衛生的で、処理作業が容易である。また、枠付受具５ｚの周囲枠５ａの上面の少なくとも四隅に蓄光物質Ｍを固着または脱着可能に配置しているので、犬や猫は真っ暗闇の中でも糞尿排泄箇所２ａに正確に排泄することができる。
【００２２】
なお、蓄光物質Ｍを脱着可能とする場合は、例えば、当該蓄光物質Ｍをシート片８に含有させ、当該シート片８を、例えば面ファスナー９で取付けることができる。
【００２３】
請求項６の犬猫ペットの糞尿処理具１は、同様に、衛生的で処理作業が容易である。また、受具本体７ａの上端に嵌合するフランジ枠体７ｂに蓄光物質Ｍを含有させているので、当該蓄光物質Ｍが発光することによって、犬や猫は、中央の糞尿排泄箇所２ａに正確に排泄することができる。
【００２４】
なお、このフランジ枠体７ｂは、その成形材料（例えば樹脂材）に蓄光物質Ｍを混入させた後、成形するものである。この蓄光物質Ｍは、フランジ枠体７ｂのみに混入し、受具本体７ａには混入していないので、材料費の節減を図り、製造コストを廉価に抑えることができるといった利点がある。
【００２５】
請求項７に記載の犬猫ペットの糞尿処理具１は、シート本体２を平面多角形状に設定しているので、例えば、特に、平面四角形状に設定すると、液体吸収シート３と防水シート４を形成する各材料を、円形などに形成するのと比較して、切れ端が生じないので、無駄なく使用することができる。従って、製造コストの低廉化を図ることができる。
【発明を実施するための最良の形態】
【００２６】
本発明に係る犬猫ペットの糞尿処理具１の第一実施形態を、図１乃至図３に示す。これは、液体吸収シート３の下面に防水シート４をラミネートしたシート本体２を四角形状に形成している。また、シート本体２が合致する平面四角形状の窪みＨを有する透明の受具５の脚片５ｃの四方側端部に沿って横孔５ｂを形成している。そして、この四つの横孔５ｂの内の三つに、蓄光物質Ｍを塗布した棒状の蓄光棒６を抜き差し自在に挿入している。また、シート本体２上面の中央を糞尿排泄箇所２ａとしている。また、横孔５ｂと脚片５ｃ外面との横幅Ｗを薄く設定し、蓄光棒６の抜き差しを容易にすると共に、当該蓄光棒６からの光が横方向からも目視し易いようにしている。なお、図２において、防水シート４を、便宜上、肉厚に描写しているが、実際はフィルム状で肉薄である。
【００２７】
また、本実施形態においては、蓄光棒６を三つの横孔５ｂに挿入しているが、本発明はこれに限定されるものではなく、四つの全てに挿入しても良いし、二つまたは一つの横孔５ｂに挿入しても良い。
【００２８】
この糞尿処理具１において、液体吸収シート３は新聞紙と異なり吸水性に富むので、室内犬や猫の尿の全てを吸収することができ、衛生的である。また、便を処理する場合は、液体吸収シート３のみではなく、防水シート４を含んだシート本体２の全体でくるむので衛生的である。また、その際、液体吸収シート３を防水シート４から分離する作業を必要としないので処理作業が容易である。
【００２９】
また、透明の受具５の側端部に沿って形成した横孔５ｂに、蓄光棒６を抜き差し自在に挿入しているので、当該蓄光物質Ｍが発光し、室内犬や猫が真っ暗闇の中でも糞尿排泄箇所２ａを容易に視認することができる。従って、糞尿排泄箇所２ａに正確に排泄することができる。また、蓄光棒６を受具５三方側端部に挿入し、平面コの字状に発光させているので、多種の犬や猫のうち、発光している側端部を跨ぐことを嫌う性質を持つものは、発光していない一方側端部を入り口として、排泄箇所２ａに容易に入ることができる。
【００３０】
また、シート本体２を、枠付受具５ｚの窪みＨに合致させるので、液体吸収シート３に吸収された糞尿は、防水シート４のみでなく、この枠付受具５ｚの底壁によっても漏出が阻止される。従って、糞尿が床などに付着してしまうことがない。
【００３１】
さらに、蓄光棒６を、受具５の横孔５ｂに挿入しているので、いわゆる埋設した状態となり、犬や猫がこの蓄光棒６をかじることがない。従って、衛生的で安全である。また、この蓄光棒６は抜き差し自在に挿入できるので、ペットの習性や必要に応じて、適宜数（本実施形態では三つ）の横孔５ｂに蓄光棒６を挿入することができる。従って、必要数の蓄光棒６を使用すれば良く、経済的で便利である。
【００３２】
本発明に係る犬の庫ペットの糞尿処理具１の第二実施形態を、図４および図５に示す。この糞尿処理具１の特徴は、横孔５ｂを受具５の上端部外周に設けた周囲枠５ａに形成したことである。こうした構成とすることによって、蓄光棒６から発せられる光を、横方向と上方向の両方から容易に目視することができる。
【００３３】
なお、この横孔５ｂは、図６に示すように、受具５の下端側端部に沿って形成することもできる。
【００３４】
本発明に係る犬猫ペットの糞尿処理具１の第三実施形態を、図７および図８に示す。これは、液体吸収シート３の下面に防水シート４をラミネートしたシート本体２を平面長方形に形成し、シート本体２が合致する窪みＨを有する枠付受具５ｚの周囲枠５ａ上面に、蓄光物質Ｍを吹付け塗装により連続的に配置したものである。そして、シート本体２上面の中央を糞尿排泄箇所２ａとしている。
【００３５】
図９は枠無受具５ｙの周囲壁外面に蓄光物質Ｍを吹付け・塗装・又はテープの切貼を断続的に設けたものであるが、連続的（図示省略）に設けても良い。
【００３６】
図１０は枠無受具５ｙの透明又は半透明な周囲壁内面に蓄光物質を吹付け・塗装・又はテープの切貼を連続的に設けたものであるが、断続的（図示省略）に設けても良い。
【００３７】
なお、蓄光物質Ｍは、図１１に示すように、周囲枠５ａの上面に貼付けによって断続的に配置することができる。この場合、蓄光物質Ｍをシート片８に混合し、そのシート片８を周囲枠５ａに貼り付けることができる。図示は省略するが、シート片５を、四辺中の三辺にコ字状に貼り付け、他の一辺は貼り付けない形状にすれば、夜光らない一辺が入口を意味し、光を跨ぐのが嫌いな性格を有するペットにとっても容易に糞尿排泄箇所２ａに達することが出来る。
【００３８】
本実施形態に係る糞尿処理具１にあって、液体吸収シート３は新聞紙と異なり吸水性に富むので、室内犬や猫の尿の全てを吸収することができ、衛生的である。また、便を処理する場合は、液体吸収シート３のみではなく、防水シート４を含んだシート本体２の全体でくるむので衛生的である。また、その際、液体吸収シート３を防水シート４から分離する作業を必要としないので処理作業が容易である。
【００３９】
また、シート本体２が合致する窪みＨを有する枠付受具５ｚの周囲枠５ａの上面に蓄光物質Ｍを配置しているので、室内犬や猫が真っ暗闇の中でも糞尿排泄箇所２ａを容易に視認することができる。従って、糞尿排泄箇所２ａに正確に排泄することができる。
【００４０】
また、シート本体２を、枠付受具５ｚの窪みＨに合致させる（配置する）ので、液体吸収シート３に吸収された糞尿は、防水シート４のみでなく、この枠付受具５ｚの底壁によっても漏出が阻止される。従って、糞尿が床などに付着してしまうのを、より確実に防止することができる。
【００４１】
なお、本実施形態におけるシート本体２は、３０ｃｍ×４０ｃｍ程度の平面長方形で５ｍｍ程度の肉厚を有するが、本発明のシート本体２はこれに限定されるものではなく、その形状や大きさおよび肉厚は、犬や猫の大きさなどによって適宜決定することができる。
【００４２】
本発明に係る犬猫ペットの糞尿処理具１の第四実施形態を、図１２および図１３に示す。これは、液体吸収シート３の下面に防水シート４をラミネートしたシート本体２を平面四角形状に形成している。また、シート本体２が合致する窪みＨを有する枠付受具５ｚの周囲枠５ａ上面の少なくとも四隅に、蓄光物質Ｍを脱着可能に配置している。そして、シート本体２の中央を糞尿排泄箇所２ａとしている。
【００４３】
なお、本実施形態においては、蓄光物質Ｍをシート片８に混入させ、そのシート片８を面ファスナー９によって、周囲枠５ａに脱着可能に配置しているが、これに代えて、蓄光物質Ｍのみを周囲枠５ａに固着させることもできる。
【００４４】
この糞尿処理具１は、第一実施形態と同様に、衛生的で、処理作業が容易である。また、枠付受具５の周囲枠５ａの上面の少なくとも四隅に蓄光物質Ｍを固着または脱着可能に配置しているので、犬や猫は真っ暗闇の中でも糞尿排泄箇所２ａに正確に排泄することができる。
【００４５】
本発明に係る犬猫ペットの糞尿処理具１の第五実施形態を、図１４および図１５に示す。これは、液体吸収シート３の下面に防水シート４をラミネートしたシート本体２を所定形状に形成し、シート本体２が合致する窪みＨを有する無蓋箱状の受具本体７ａの上端に、外方に張り出す鍔状で、かつ蓄光物質Ｍを含有するフランジ枠体７ｂを嵌合固定したものである。そして、シート本体２上面の中央を糞尿排泄箇所２ａとしている。
【００４６】
なお、このフランジ枠体７ｂは、その成形材料である合成樹脂材に蓄光物質Ｍを混入し後、成形したものである。また、受具本体７ａも、同一の合成樹脂材によって成形している（蓄光物質Ｍは混入していない）。
【００４７】
この糞尿処理具１は、同様に、衛生的で処理作業が容易である。また、受具本体７ａの上端に嵌合するフランジ枠体７ｂに蓄光物質Ｍを含有させているので、当該蓄光物質Ｍが発光することによって、犬や猫は、中央の糞尿排泄箇所２ａに正確に排泄することができる。また、この蓄光物質Ｍは、フランジ枠体７ｂのみに混入し、受具本体７ａには混入していないので、材料費の節減を図り、製造コストを廉価に抑えることができる。
【００４８】
この実施形態において、受具本体７ａとフランジ枠体７ｂとの嵌合は、特に限定されるものではないが、図１６乃至図１８に示すような構成とすることができる。すなわち、受具本体７ａの周囲壁７ｃに外壁凹溝７ｄと内壁凹溝７を断続的に形成すると共に、フランジ枠体７ｂにそれらに対応した外脚片７ｆと外鍔部７ｇおよび内脚片７ｈと内鍔部７ｉを形成し、それらを係合させることによって構成することができる。
【実施例】
【００４９】
蓄光物質Ｍを吹付け塗装した図７のものについて、午後１１時迄蛍光灯の照明下に置き、午後１１時から午前５時迄暗闇に置いたところ、午前５時の時点で人間の目に目視することの出来る明るさが残存していた。
【図面の簡単な説明】
【００５０】
【図１】本発明に係る糞尿処理具の第一実施形態を示す平面図である。
【図２】図１のＡ−Ａ線切断側面図である。
【図３】図２のＢ−Ｂ線切断側面図である。
【図４】本発明に係る糞尿処理具の第二実施形態を示し平面図である。
【図５】図４のＣ−Ｃ線切断側面図である。
【図６】本発明の第二実施形態における他の態様を示す鉛直切断側面図である。
【図７】本発明に係る糞尿処理具の第三実施形態を示す平面図である。
【図８】図７のＤ−Ｄ線切断側面図である。
【図９】第三実施形態の変形例を示す一部切欠側面図である。
【図１０】第三実施形態の異なる変形例を示す一部切欠側面図である。
【図１１】第三実施形態の他の態様を示す平面図である。
【図１２】本発明に係る糞尿処理具の第四実施形態を示す平面図である。
【図１３】図１２のＥ−Ｅ線拡大切断側面図である。
【図１４】本発明に係る糞尿処理具の第五実施形態を示す平面図である。
【図１５】図１４のＦ−Ｆ線切断側面図である。
【図１６】本発明の第五実施形態における他の態様を示す平面図である。
【図１７】図１６のＧ−Ｇ線切断側面図である。
【図１８】図１６のＨ−Ｈ線切断側面図である。
【符号の説明】
【００５１】
１        糞尿処理具
２        シート本体
２ａ      糞尿排泄箇所
３        液体吸収シート
４        防水シート
５        受具
５ａ      周囲枠
５ｂ      横孔
５ｃ      脚片
５ｙ      枠無受具
５ｚ      枠付受具
６        蓄光棒
７ａ      受具本体
７ｂ      フランジ枠体
７ｃ      周囲壁
７ｄ      外壁凹溝
７ｅ      内壁凹溝
７ｆ      外脚片
７ｇ      外鍔部
７ｈ      内脚片
７ｉ      内鍔部
８        シート片
９        面ファスナー
Ｈ        窪み
Ｍ        蓄光物質
Ｗ        横幅
【図１】
2007037405.tif 000003
【図２】
2007037405.tif 000004
【図３】
2007037405.tif 000005
【図４】
2007037405.tif 000006
【図５】
2007037405.tif 000007
【図６】
2007037405.tif 000008
【図７】
2007037405.tif 000009
【図８】
2007037405.tif 000010
【図９】
2007037405.tif 000011
【図１０】
2007037405.tif 000012
【図１１】
2007037405.tif 000013
【図１２】
2007037405.tif 000014
【図１３】
2007037405.tif 000015
【図１４】
2007037405.tif 000016
【図１５】
2007037405.tif 000017
【図１６】
2007037405.tif 000018
【図１７】
2007037405.tif 000019
【図１８】
2007037405.tif 000020